(57)【特許請求の範囲】
【請求項１】
貯蔵物を収容する貯蔵室を備えた本体と、前記貯蔵室を開閉するドアと、前記本体に備えられて温度を検出する温度センサーと、前記本体に備えられて前記貯蔵室を冷却させる冷却手段と、を有する冷蔵庫の制御方法において、
前記貯蔵室の貯蔵温度よりも低い制御温度、及び該制御温度より高い上限保護温度を予め設定しておく段階と、
初期運転状態において、前記温度センサーによって検出された温度が前記制御温度に達する時まで前記冷却手段を連続駆動する段階と、
前記連続駆動によって前記温度センサーの検出温度が前記制御温度に達した後、前記冷却手段を設定周期に従って駆動させる段階と、
前記温度センサーの検出温度が前記上限保護温度より高い時、前記温度センサーの検出温度が前記制御温度に達する時まで前記圧縮器を連続駆動する段階と、
を含むことを特徴とする冷蔵庫の制御方法。
【請求項２】
前記冷却手段は圧縮器であることを特徴とする請求項１記載の冷蔵庫の制御方法。
【請求項３】
前記温度センサーの検出温度が前記上限保護温度より高い時、前記温度センサーの検出温度が前記制御温度に達する時まで前記圧縮器を連続駆動する段階と、
をさらに含むことを特徴とする請求項２記載の冷蔵庫の制御方法。
【請求項４】
前記制御温度より低い下限保護温度を設定する段階と、
前記温度センサーの検出温度が前記下限保護温度より低い時、検出温度が制御温度に達する時まで前記圧縮器を中止させる段階と、をさらに含むことを特徴とする請求項２記載の冷蔵庫の制御方法。
【請求項５】
前記制御温度より低い下限保護温度を設定する段階と、
前記温度センサーの検出温度が前記下限保護温度より低い時、検出温度が制御温度に達する時まで前記圧縮器を中止させる段階と、をさらに含むことを特徴とする請求項３記載の冷蔵庫の制御方法。
【請求項６】
前記温度センサーの検出温度が前記制御温度に達した後、前記圧縮器を設定周期に従って駆動させる段階をさらに含むことを特徴とする請求項３乃至５のいずれか一項に記載の冷蔵庫の制御方法。
【請求項７】
初期運転状態でカウンタによって前記圧縮器の連続駆動時間をカウントする段階と、
前記カウンタでカウントした前記圧縮器の連続駆動時間が一定時間に達する場合、前記圧縮器の連続駆動を中止させる段階と、をさらに含むことを特徴とする請求項２記載の冷蔵庫の制御方法。
【請求項８】
前記圧縮器の連続駆動を中止させた後、前記温度センサーの検出温度が前記制御温度に達すると、前記圧縮器を設定された周期に従って駆動させる段階をさらに含むことを特徴とする請求項７記載の冷蔵庫の制御方法。
【請求項９】
前記圧縮器の連続駆動を中止させた後、前記温度センサーの検出温度が前記制御温度に達しないと、前記圧縮器を所定時間設定周期に従って駆動させた後前記温度センサーの検出温度が前記制御温度に達する時まで前記圧縮器を連続駆動させる段階
をさらに含むことを特徴とする請求項７記載の冷蔵庫の制御方法。
【請求項１０】
前記圧縮器の連続駆動を中止させた後、前記温度センサーの検出温度が前記制御温度に達しないと、前記圧縮器を一定時間中止させた後、前記温度センサーの検出温度が前記制御温度に達する時まで前記圧縮器を連続駆動させる段階をさらに含むことを特徴とする請求項７記載の冷蔵庫の制御方法。
【発明の詳細な説明】
【０００１】
【発明の属する技術分野】
本発明は、冷蔵庫の制御方法に係り、より詳細には、圧縮器を連続駆動して冷却速度を向上させられる冷蔵庫の制御方法に関する。
【０００２】
【従来の技術】
通常、冷蔵庫は、比較的低い温度を有する冷凍室と、この冷凍室に比べて高い温度を有する冷蔵室とからなり、これら冷凍室と冷蔵室内の食品を冷却するための冷却システムを備える。本願では二つの貯蔵室を有する本体と、貯蔵室を加熱するためのヒーターと、貯蔵室を冷却するための冷却システムとを備えたキムチ冷蔵庫について説明する。
【０００３】
キムチ冷蔵庫の冷却システムは、冷媒を圧縮する圧縮器、圧縮器からの冷媒を用いて貯蔵室を冷却させる蒸発器、圧縮器から圧縮された冷媒を蒸発器に供給する冷媒配管を有する。冷媒を供給する冷媒配管には貯蔵室の運転条件に従って冷媒量を調節できるバルブが設けられている。キムチ冷蔵庫には、貯蔵室の温度を感知する温度センサーと、運転条件を入力するための操作部と、温度センサーで感知した温度に応じて圧縮器、蒸発器及びバルブを制御する制御部とが備えられている。
【０００４】
図８は従来のキムチ冷蔵庫の温度グラフである。図８を参照すれば、入力された初期の運転条件に従って冷蔵庫を運転し始め、所定時間圧縮器(図示せず)を連続駆動させてから連続駆動を中止し、圧縮器を正常運転モード(即ち，一定時間間隔にオン/オフ周期を反復するモード)に基づいて駆動する。
【０００５】
しかしながら、このような従来のキムチ冷蔵庫では、温度センサーが蒸発器と隣接設置されているため、図８に示すように、各貯蔵室内の貯蔵物が所望の温度に至る前に温度センサーによって感知された温度が制御温度に達し、圧縮器の連続運転が中止されてしまった。この結果、貯蔵物の初期冷却が遅延されて冷却効率が低下するという問題があった。
【０００６】
【発明が解決しようとする課題】
本発明の目的は、貯蔵物の冷却速度を速める上に望む貯蔵物の温度が得られ、冷却効率を向上させられる冷蔵庫の制御方法を提供することにある。
【０００７】
【課題を解決するための手段】
本発明は、前記課題を解決するため、貯蔵物を収容する貯蔵室を備えた本体と、前記貯蔵室を開閉するドアと、前記本体に備えられて温度を検出する温度センサーと、前記本体に備えられて前記貯蔵室を冷却させる冷却手段と、を有する冷蔵庫の制御方法において、前記貯蔵室の望む温度に対応するよう制御温度を設定する段階と、初期運転状態で前記温度センサーによって検出された温度が前記制御温度に達する時まで前記冷却手段を連続駆動させる段階と、を含むことを特徴とする冷蔵庫の制御方法を提供する。
【０００８】
ここで、前記冷却手段は圧縮器であるのが好ましい。
前記温度センサーの検出温度が前記制御温度に達した後、前記圧縮器を設定周期に従って駆動させる段階をさらに含むことが好ましい。
前記制御温度より高い上限保護温度を設定する段階と、前記温度センサーの検出温度が前記上限保護温度より高い時、前記温度センサーの検出温度が前記制御温度に達する時まで前記圧縮器を連続駆動する段階と、をさらに含むことが好ましい。
【０００９】
また、前記制御温度より低い下限保護温度を設定する段階と、前記温度センサーの検出温度が前記下限保護温度より低い時、検出温度が制御温度に達する時まで前記圧縮器を中止させる段階と、を含むことが好ましい。
ここで、前記温度センサーの検出温度が前記制御温度に達した後、前記圧縮器を設定周期に従って駆動させる段階をさらに含むことが好ましい。
【００１０】
初期運転状態でカウンタによって前記圧縮器の連続駆動時間をカウントする段階と、前記カウンタでカウントした前記圧縮器の連続駆動時間が一定時間に達する場合、前記圧縮器の連続駆動を中止させる段階と、をさらに含むことが好ましい。
【００１１】
前記圧縮器の連続駆動を中止させた後、前記温度センサーの検出温度が前記制御温度に達すると、前記圧縮器を設定された周期に従って駆動させる段階をさらに含むことが好ましい。
【００１２】
前記圧縮器の連続駆動を中止させた後、前記温度センサーの検出温度が前記制御温度に達しないと、前記圧縮器を所定時間設定周期に従って駆動させた後前記温度センサーの検出温度が前記制御温度に達する時まで前記圧縮器を連続駆動させる段階をさらに含むことが好ましい。
【００１３】
また、前記圧縮器の連続駆動を中止させた後、前記温度センサーの検出温度が前記制御温度に達しないと、前記圧縮器を一定時間中止させた後、前記温度センサーの検出温度が前記制御温度に達する時まで前記圧縮器を連続駆動させる段階をさらに備えてもよい。
【００１４】
【発明の実施の形態】
以下、添付した図面を参照して本発明の実施形態を詳しく説明する。
図１は本発明によるキムチ冷蔵庫の側断面図であり、図２は本発明によるキムチ冷蔵庫の制御ブロック図である。図１及び図２に示すように、本発明のキムチ冷蔵庫は、開口を有し、一対の貯蔵室３を具備する本体１と、本体１の開口を開閉する一対のドア５を有する。本体１の上部の前面には、貯蔵室３に貯蔵された貯蔵物４に従って熟成時間及び温度条件を選択するための操作部６が備えられている。キムチ冷蔵庫の本体１には貯蔵室３を冷却する冷却システムと、貯蔵室３を加熱するヒーター１５が設けられている。冷却システムは本体１の下部と貯蔵室３の底面との間に設けられた機器部品室７に備えられている。
【００１５】
冷却システムは、冷媒を圧縮する圧縮器９と、圧縮器９から圧縮された冷媒を用いて冷気を発生する蒸発器１１と、圧縮器９から圧縮された冷媒を蒸発器１１に提供する冷媒配管(図示せず)とを有する。冷媒配管には貯蔵室３の冷却条件に従って圧縮器９からの冷媒量を調節するバルブ１３(図２)が備えられている。
【００１６】
本体１には貯蔵室３の外部の温度を感知する温度センサー１７と、圧縮器９の駆動時間をカウントするカウンタ１９と、制御しようとする貯蔵室３の温度に対応するよう温度センサー１７の制御温度が設定されている制御温度テーブル２１が備えられている。また、本体１には、温度センサー１７から感知した貯蔵室３の外部の温度及びカウンタ１９からカウントした圧縮器９の連続駆動時間のうち少なくとも一つに基づいて圧縮器９の動作を制御する制御部２０(図２)が備えられている。制御温度テーブル２１には、制御しようとする貯蔵室３の温度に対応する制御温度に比べて高く設定された上限保護温度(I)と、制御温度に比べて低く設定された下限保護温度(II)が設定されている。
【００１７】
図３は図１のキムチ冷蔵庫の制御流れ図であり、図４は本発明の他の実施例によるキムチ冷蔵庫の制御流れ図である。図３及び図４を参照すれば、キムチ冷蔵庫に電源が供給され、貯蔵物４の種類及び熟成状態などを考慮して操作部６を通じて入力された初期入力条件に従って運転を開始する(Ｓ１１)。
【００１８】
初期入力条件に従って運転が開始されると、制御部２０は温度センサー１７の検出温度が制御温度テーブル２１に貯蔵されている制御温度に達する時まで圧縮器９を連続駆動させる(Ｓ１３)。制御部２０は、圧縮器９の連続駆動時に温度センサー１７の検出温度が制御温度に達したかを判断し(Ｓ１５)、検出温度が制御温度に達したものと判断される場合、上限保護温度(I)に基づいて圧縮器９を駆動させる(Ｓ１７)。
【００１９】
上限保護温度(I)に基づいて圧縮器９を駆動する時、制御部２０は、温度センサー１７の検出温度が上限保護温度(I)に比べて高いか否かを判断する(Ｓ１９)。制御部２０は、温度センサー１７の検出温度が上限保護温度(I)より高くないものと判断される場合、圧縮器９を正常運転モードに基づいて設定された周期に従って駆動させる(Ｓ２１)。これに対し、温度センサー１７の検出温度が上限保護温度(I)より高いものと判断されたら、制御部２０は圧縮器９を連続駆動させる(Ｓ２３)。
【００２０】
次いで、制御部２０は、温度センサー１７の検出温度が下限保護温度(II)に比べて低いか否かを判断する(Ｓ２５)。制御部２０は、検出温度が下限保護温度(II)より低い場合，圧縮器９の駆動を一定時間又は制御温度に達する時まで中止させて過冷を防ぎ(Ｓ２７)、下限保護温度(II)より低くないものと判断されたら圧縮器９を設定された周期に従って駆動させる(Ｓ２９)。
【００２１】
以下、図４を参照して本発明をさらに詳細に説明し、ここで、便宜上、図３と同一な部分に対する説明は省略するものとする。図４に示すように、操作部６を通じて入力された初期入力条件に従って冷蔵庫の運転を開始する(Ｓ３１)。運転が開始されると、制御部２０は、温度センサー１７の検出温度が制御温度テーブル２１に貯蔵されている制御温度に達する時まで圧縮器９を連続駆動させる(Ｓ３３)。
【００２２】
圧縮器９が連続駆動すると、制御部２０はカウンタ１９によって圧縮器９の連続駆動時間をカウントする(Ｓ３５)。制御部２０は、カウントした時間が一定時間に達したか、又は温度センサー１７の検出温度が所定の制御温度に達したかを判断する(Ｓ３７)。制御部２０は、カウントした時間が一定時間に達したか、又は温度センサー１７の検出温度が所定の制御温度に達したものと判断される場合、上限保護温度(I)に基づいて圧縮器９の駆動を制御する(Ｓ３９)。
【００２３】
圧縮器９が上限保護温度(I)に基づいて駆動すると、図３のＳ１９からＳ２９段階までの過程とほぼ同様な動作が行われる。即ち、検出温度が上限保護温度(I)に比べて高いか否かによって圧縮器９の動作を制御し(Ｓ４７，Ｓ４９，Ｓ５１)、検出温度が下限保護温度(II)に比べて低いか否かによって圧縮器９の動作を制御する(Ｓ４７、Ｓ４９、Ｓ５１)。
【００２４】
以下、運転条件に従って動作するキムチ冷蔵庫の温度状態を表した温度グラフの図５乃至図７を参照して貯蔵室の貯蔵物の温度と温度センサーの検出温度について説明する。
【００２５】
図５で、温度センサー１７の検出温度が制御温度に達する時まで圧縮器９を連続駆動させる(区間ａ)。温度センサー１７の検出温度が制御温度に達する時まで圧縮器９を連続駆動するため、初期運転状態で貯蔵室３内に貯蔵された貯蔵物４が望む制御温度に迅速に到達する。温度センサー１７の検出温度が制御温度に達すると、圧縮器９は設定された周期に従って駆動し(区間ｂ)、これにより貯蔵物４の過冷が防止できる。この時、下限保護温度(I)(図示せず)を設定することによって過冷が防止できる。
【００２６】
次いで、図４及び図６を参照すれば、初期入力条件に基づいて運転が開始されると、温度センサー１７の検出温度が制御温度に達する時まで圧縮器９を連続駆動させる(区間ｃ)。圧縮器９の連続駆動時に圧縮器９の連続駆動時間をカウントし、このカウントされた圧縮器９の連続駆動時間が一定時間に達したものと判断されたら、 圧縮器の過負荷を防止するために圧縮器９の連続駆動を中止し設定された周期に従って駆動させる(区間ｄ)。圧縮器９が連続駆動してカウントされた連続駆動時間が一定時間に達する前に温度センサー１７の検出温度が制御温度に達すると、制御部２０は温度センサー１７を上限保護温度(I)と下限保護温度(II)に基づいて制御する。
【００２７】
図６に示すように、圧縮器の連続駆動によって温度センサー１７の検出温度が制御温度に到達した後、検出温度が上限保護温度（Ｉ）に達する時（Ａ点）までは圧縮器９を設定された周期に従って駆動させる。そして、制御温度が上限保護温度（Ｉ）より高い場合（Ｂ点）は検出温度が制御温度に達する時間まで圧縮器９を連続駆動させて温度を下げる。貯蔵室３に貯蔵物がさらに収容された場合、又は動作モードが熟成モードから貯蔵モードに変換された場合には制御温度がＡ点及びＢ点に達し得る。
【００２８】
図７は圧縮器の連続駆動時間が一定時間に達した時、温度センサーの検出温度が所望の制御温度に達しなかった状態の温度変化を表したグラフである。
圧縮器９が連続駆動した後、カウンタ１９でカウントした圧縮器９の連続駆動時間が一定時間経過したものと判断されたら(区間ｅ)、圧縮器の過負荷を防止するために圧縮器９の動作を所定時間設定された周期に基づいて駆動させる(区間ｆ)。この時、温度センサー１７の検出温度が制御温度に達しなかったものと判断されたため(Ｃ点)、温度センサー１７の検出温度が制御温度に達する時(Ｄ点)まで圧縮器９を再び連続駆動させる(区間ｇ)。
【００２９】
図７では、区間ｆで圧縮器の過負荷を防止するため、圧縮器９を設定周期に従って動作させてから再び連続駆動させているが、区間ｆで、圧縮器９を所定時間中止させ、所定時間の後圧縮器９を再び連続駆動させても良い。
このように、貯蔵室の望む温度に対応するよう温度センサーの制御温度を設定し、温度センサーの検出温度が制御温度に達する時まで圧縮器を連続駆動することによって、貯蔵物の冷却速度を速めて貯蔵効率を向上させられる。また、圧縮器の連続駆動時間を制限することによって圧縮器の過負荷が防止できる。
【００３０】
【発明の効果】
前述したように、本発明によると、温度センサーの検出温度が制御温度に達する時まで圧縮器を連続駆動させるため、貯蔵物の冷却速度を速める上に所望の貯蔵温度が得られ、且つ、圧縮器の連続駆動時間を制限することによって圧縮器の過負荷が防止できる、冷蔵庫の制御方法が提供される。
特に、初期運転時や貯蔵動作中に貯蔵物がさらに収容されたり熟成モードから貯蔵モードに変換される時、貯蔵物の冷却速度がさらに速められる。
【図面の簡単な説明】
【図１】  本発明によるキムチ冷蔵庫の側断面図である。
【図２】  図１のキムチ冷蔵庫の制御ブロック図である。
【図３】  図１のキムチ冷蔵庫の制御流れ図である。
【図４】  本発明の他の実施例によるキムチ冷蔵庫の制御流れ図である。
【図５】  本発明によるキムチ冷蔵庫の温度グラフである。
【図６】  本発明によるキムチ冷蔵庫の温度グラフである。
【図７】  本発明によるキムチ冷蔵庫の温度グラフである。
【図８】  従来のキムチ冷蔵庫の温度グラフである。
【符号の説明】
１  本体
３  貯蔵室
４  貯蔵物
６  操作部
９  圧縮器
１７  温度センサー
１９  カウンタ
２０  制御部
２１  制御温度テーブル
【図１】
0003642740.tif 000002
【図２】
0003642740.tif 000003
【図３】
0003642740.tif 000004
【図４】
0003642740.tif 000005
【図５】
0003642740.tif 000006
【図６】
0003642740.tif 000007
【図７】
0003642740.tif 000008
【図８】
0003642740.tif 000009